(57)【要約】【課題】器具内配線の配策を容易にできる照明器具を提供する。【解決手段】照明器具１０は、器具本体１１と、直管型ＬＥＤランプ１２と、直管型ＬＥＤランプ１２の上方に配置される器具本体１１に取り付けられる反射板１８と、反射板１８に取り付けられて直管型ＬＥＤランプ１２に接続される複数の給電側ソケット２０と、反射板１８に取り付けられて直管型ＬＥＤランプ１２に接続される複数のアース側ソケット２１と、アース側ソケット２１にそれぞれ接続される複数の器具内配線３４，３５とを備え、アース側ソケット２１は、複数の器具内配線３４，３５が互いに電気的に接続される。【選択図】図２
2012104329.tif 000002
【特許請求の範囲】
【請求項１】
器具本体と、
ＬＥＤを有し、一端部に給電側端子を有するとともに他端部にアース側端子を有して複数に並列される直管型ＬＥＤランプと、
前記直管型ＬＥＤランプの上方に配置される器具本体に取り付けられる反射板と、
前記反射板に取り付けられて前記直管型ＬＥＤランプの前記給電側端子に接続される複数の給電側ソケットと、
前記反射板に取り付けられて前記直管型ＬＥＤランプの前記アース側端子に接続される複数のアース側ソケットと、
前記アース側ソケットにそれぞれ接続される複数の器具内配線とを備え、
前記アース側ソケットは、前記複数の器具内配線が互いに電気的に接続される照明器具。
【請求項２】
請求項１に記載の照明器具において、
前記反射板は、前記器具本体にねじにより着脱自在に取り付けられ、
前記アース側ソケットは、前記反射板上において、側部に有する切欠から前記器具内配線を引き出し可能である照明器具。
【請求項３】
請求項１または請求項２に記載の照明器具において、
前記反射板は、前記器具内配線を収容する補助反射板を備える照明器具。
【発明の詳細な説明】
【技術分野】
【０００１】
本発明は、ＬＥＤを有する直管型ＬＥＤランプを光源として天井面に設置される照明器具に関する。
【背景技術】
【０００２】
従来より、天井面に取り付けられる器具本体と、器具本体の長手方向の両端部にそれぞれ設けられる二対のソケットと、器具本体に取り付けられる断面略Ｖ字形の反射板と、器具本体に長手方向が一致する形でソケットに保持される２本の直管型の蛍光灯とを備える照明器具が知られている（例えば、特許文献１参照）。
【先行技術文献】
【特許文献】
【０００３】
【特許文献１】特開２００７−２１３９６８号公報（図１、段落００１２）
【発明の概要】
【発明が解決しようとする課題】
【０００４】
近年のＬＥＤ技術の発展に伴い、省エネ等の観点からＬＥＤを内蔵した直管型ＬＥＤランプを装備する照明器具が提案されている。
このような直管型ＬＥＤランプは、一方の口金側に給電側端子が配置され、他方の口金側にアース側端子が配置されている。
一方、直管型ＬＥＤランプを取り付ける照明器具は、器具本体に、直管型ＬＥＤランプの給電側端子に電気的に接続される給電側ソケットと、直管型ＬＥＤランプのアース側端子に電気的に接続されるアース側ソケットとを装備する。
そのため、このような従来の照明器具において、器具本体の給電側ソケットと、器具本体のアース側ソケットとが対向して配置されている場合、それらを電気的に接続する器具内配線が複雑になる。
従って、このような従来の照明器具は、配策作業を容易にできない。
【０００５】
本発明は、前述した課題を解決するためになされたものであり、その目的は、器具内配線の配策を容易にできる照明器具を提供することにある。
【課題を解決するための手段】
【０００６】
本発明に係る照明器具は、器具本体と、ＬＥＤを有し、一端部に給電側端子を有するとともに他端部にアース側端子を有して複数に並列される直管型ＬＥＤランプと、前記直管型ＬＥＤランプの上方に配置される器具本体に取り付けられる反射板と、前記反射板に取り付けられて前記直管型ＬＥＤランプの前記給電側端子に接続される複数の給電側ソケットと、前記反射板に取り付けられて前記直管型ＬＥＤランプの前記アース側端子に接続される複数のアース側ソケットと、前記アース側ソケットにそれぞれ接続される複数の器具内配線とを備え、前記アース側ソケットは、前記複数の器具内配線が互いに電気的に接続される。
【０００７】
本発明に係る照明器具は、前記反射板は、前記器具本体にねじにより着脱自在に取り付けられ、前記アース側ソケットは、前記反射板上において、側部に有する切欠から前記器具内配線を引き出し可能である。
【０００８】
本発明に係る照明器具は、前記反射板は、前記器具内配線を収容する補助反射板を備える。
【発明の効果】
【０００９】
本発明に係る照明器具によれば、器具内配線の配策を容易にできるという効果を奏する。
【図面の簡単な説明】
【００１０】
【図１】本発明に係る第１実施形態の照明器具の斜め下方から視た分解斜視図
【図２】本発明に係る第１実施形態の照明器具の反射板の底面図
【図３】本発明に係る第１実施形態の照明器具のアース側ソケットの斜め上方から視た外観斜視図
【図４】本発明に係る第１実施形態の照明器具の補助反射板の取り付け前のアース側ソケット周りの下方から視た外観斜視図
【図５】本発明に係る第１実施形態の照明器具の補助反射板の取り付け後のアース側ソケット周りの下方から視た外観斜視図
【図６】本発明に係る第１実施形態の照明器具の直管型ＬＥＤランプの取付手順を説明する模式的側面図
【図７】本発明に係る第１実施形態の照明器具の組立手順を説明する第１段階の垂直断面図
【図８】本発明に係る第１実施形態の照明器具の組立手順を説明する第２段階の斜め下方から視た外観斜視図
【図９】本発明に係る第１実施形態の照明器具の組立手順を説明する第２段階の垂直断面図
【図１０】本発明に係る第１実施形態の照明器具の組立手順を説明する第３段階の斜め下方から視た外観斜視図
【図１１】本発明に係る第１実施形態の照明器具の組立手順を説明する第３段階の垂直断面図
【図１２】本発明に係る第２実施形態の照明器具の反射板の底面図
【発明を実施するための形態】
【００１１】
以下、本発明に係る複数の実施形態の照明器具について図面を参照して説明する。
（第１実施形態）
図１に示すように、本発明に係る第１実施形態の照明器具１０は、既存であって天井面１に埋設されている器具本体１１と、複数のＬＥＤ１３がＬＥＤ基板１４に実装されたＬＥＤユニット１５を内蔵して一端部に一対の給電側端子１６を有するとともに他端部に単一のアース側端子１７を有して一対の並列される直管型ＬＥＤランプ１２と、直管型ＬＥＤランプ１２の上方に配置される器具本体１１につまみねじ１９により取り付けられる反射板１８と、反射板１８の一端部に係止されて直管型ＬＥＤランプ１２の給電側端子１６に接続される一対の給電側ソケット２０と、反射板１８の他端部に係止されて直管型ＬＥＤランプ１２のアース側端子１７に接続される一対のアース側ソケット２１と、反射板１８に取り付けられる補助反射板２２とを備えて天井面１に埋設される埋込ベースライトである。
【００１２】
反射板１８は、天井面１に埋設されている器具本体１１の外形寸法よりもわずかに小さい外形寸法を有して内面に白色や乳白色に塗装された反射面２３を有する。反射板１８の天板２４には、電源端子台２５と、電源ブロック２６と、中央部の一対のランプ支持ばね２７とが取り付けられており、器具本体１１側から引き込まれる外部配線２が電源端子台２５に接続される。反射板１８は、天部の下方から器具本体１１につまみねじ１９がねじ込まれることにより器具本体１１に取り付けられる。
【００１３】
一対の給電側ソケット２０は、反射板１８の天板２４の一端部に係止されることにより、反射板１８に一体的に取り付けられる。
一対のアース側ソケット２１は、反射板１８の天板２４の他端部に係止されることにより、反射板１８に一体的に取り付けられる。
【００１４】
補助反射板２２は、垂直断面視Ｖ字形状に形成されており、端部に配置されたフランジ部２８が反射板１８に有する係合部（図２参照）２９に係合されることにより反射板１８に取り付けられる。補助反射板２２は、フランジ部２８にランプ支持ばね２７の逃げのための凹部３０を有する。
【００１５】
図２に示すように、反射板１８の天板２４に取り付けられた電源端子台２５からは器具内配線３１が電源ブロック２６に配策されている。電源ブロック２６は、その給電部３２が給電側ソケット２０に近い向きに配置されている。そのため、電源ブロック２６の給電部３２から給電側ソケット２０に電源側の器具内配線３３が最短距離で配策されている。
アース側ソケット２１は、一方のアース側ソケット２１から他方のアース側ソケット２１にアース側の器具内配線３４が接続されており、他方のアース側ソケット２１からアース側の器具内配線３５が反射板１８の天板２４を経由して接地に接続されている。
従って、反射板１８に係止されるアース側ソケット２１に接続される器具内配線３４および器具内配線３５が互いに電気的に接続されるために、それぞれの器具内配線を別々に接続した場合と比べて、器具内配線３４および器具内配線３５の配策を容易にできる。
【００１６】
図３に示すように、アース側ソケット２１は、底部にソケット台３６を有し、ソケット台３６の角部に形成された切欠３７から器具内配線３４および器具内配線３５が引き出される。ソケット台３６は、反射板１８に係止される複数の係止突起３８を有する。
従って、アース側ソケット２１から引き出される器具内配線３４および器具内配線３５がアース側ソケット２１の切欠３７から反射板１８上に引き出されるために、挟み込み等を生ずることなく良好に配策できる。
【００１７】
図４および図５に示すように、アース側ソケット２１は、ソケット台３６の係止突起３８が反射板１８に係止されることにより反射板１８の天板２４に一体的に取り付けられる。そして、反射板１８の係合部２９に補助反射板２２のフランジ部２８が係合されて補助反射板２２が反射板１８に取り付けられることにより、アース側ソケット２１のソケット台３６の切欠３７から引き出されている器具内配線３４および器具内配線３５が床面側から直視できないように隠される。
従って、補助反射板２２により器具内配線３４および器具内配線３５が隠されるために、器具内配線３４および器具内配線３５が露出せずに意匠面で良好にできる。
【００１８】
次に、直管型ＬＥＤランプ１２の取付手順について説明する。
図６に示すように、直管型ＬＥＤランプ１２は、取り付けに際し、アース側端子１７のアース側ソケット２１への取り付けが最初に行われ、アース側端子１７のアース側ソケット２１への取り付けが終了してから、給電側端子１６が給電側ソケット２０に取り付けられる。
【００１９】
このとき、反射板１８において器具本体１１および反射板１８の合算重心位置が長手方向の中心部よりも給電側ソケット２０に寄っており、アース側端子１７のアース側ソケット２１への取り付けが最初に行われる。
従って、直管型ＬＥＤランプ１２の取り付けに際し、アース側端子１７のアース側ソケット２１への取り付けを最初に行うために、重心が寄っている給電ソケット２０側に、こじり等の荷重がかからずに、反射板１８に下方に向けた大きな荷重がかからないので、つまみねじ１９の緩みが生じない。
【００２０】
ここで、反射板１８において、電源ブロック２６が給電側ソケット２０側に寄って配置されており、アース側端子１７のアース側ソケット２１への取り付けが最初に行われる。
従って、反射板１８において重量が大きい電源ブロック２６が長手方向の中心部よりも給電側ソケット２０に寄っていることにより、重心が寄っている給電側ソケット２０側に、こじり等の荷重がかからずに、反射板１８に下方に向けた大きな荷重がかからないので、つまみねじ１９の緩みが生じない。
【００２１】
次に、照明器具１０の組立手順について説明する。
図７に示すように、組立手順の第１段階において、反射板１８の下方につまみねじ１９が配置されていて、給電側ソケット２０およびアース側ソケット２１が係止された反射板１８が、天井面１に既に埋設されている器具本体１１の内側に挿入されていき、つまみねじ１９が器具本体１１にねじ込まれることにより反射板１８が器具本体１１に取り付けられる。
【００２２】
図８および図９に示すように、組立手順の第２段階において、器具本体に１１に取り付けられた反射板１８に対して、下方から補助反射板２２が進行されていき、フランジ部２８が反射板１８の係合部２９に係合されることにより、補助反射板２２が反射板１８に取り付けられる。
【００２３】
図１０および図１１に示すように、組立手順の第３段階において、図６に示した取付手順に沿って直管型ＬＥＤランプ１２が給電側ソケット２０およびアース側ソケット２１に取り付けられる。
【００２４】
以上、説明したように第１実施形態の照明器具１０によれば、反射板１８に係止されるアース側ソケット２１に接続される器具内配線３４および器具内配線３５が互いに電気的に接続されるために、それぞれの器具内配線を別々に接続した場合と比べて、器具内配線３４および器具内配線３５の配策を容易にできる。
【００２５】
また、第１実施形態の照明器具１０によれば、アース側ソケット２１から引き出される器具内配線３４および器具内配線３５がアース側ソケット２１の切欠３７から反射板１８上に引き出されるために、挟み込み等を生ずることなく良好に配策できる。
【００２６】
そして、第１実施形態の照明器具１０によれば、補助反射板２２により器具内配線３４および器具内配線３５が隠されるために、器具内配線３４および器具内配線３５が露出せずに意匠面で良好にできる。
【００２７】
（第２実施形態）
次に、本発明に係る第２実施形態の照明器具について説明する。
なお、以下の第２実施形態において、前述した第１実施形態と重複する構成要素や機能的に同様な構成要素については、図中に同一符号あるいは相当符号を付することによって説明を簡略化あるいは省略する。
【００２８】
図１２に示すように、本発明に係る第２実施形態の照明器具５０は、反射板１８の一端部に一方の給電側ソケット２０と一方のアース側ソケット２１とが配置されており、反射板１８の他端部に他方のアース側ソケット２１と他方の給電側ソケット２０とが配置されている。
そして、一方のアース側ソケット２１から他方のアース側ソケット２１に器具内配線５１がたすき掛けで配策されて接地に接続されている。
【００２９】
そして、第２実施形態の照明器具５０によれば、器具内配線５１の配策を容易にできる。
【００３０】
なお、本発明の照明器具において器具本体，ＬＥＤ，ＬＥＤ基板，ＬＥＤユニット等は、前述した各実施形態に限定されるものでなく、適宜な変形や改良等が可能である。
【符号の説明】
【００３１】
１０  照明器具
１１  器具本体
１２  直管型ＬＥＤランプ
１３  ＬＥＤ
１６  給電側端子
１７  アース側端子
１８  反射板
１９  つまみねじ（ねじ）
２０  給電側ソケット
２１  アース側ソケット
２２  補助反射板
３４，３５，５１  器具内配線
３７  切欠
【図１】
2012104329.tif 000003
【図２】
2012104329.tif 000004
【図３】
2012104329.tif 000005
【図４】
2012104329.tif 000006
【図５】
2012104329.tif 000007
【図６】
2012104329.tif 000008
【図７】
2012104329.tif 000009
【図８】
2012104329.tif 000010
【図９】
2012104329.tif 000011
【図１０】
2012104329.tif 000012
【図１１】
2012104329.tif 000013
【図１２】
2012104329.tif 000014